(57)【要約】      （修正有）【課題】遺体を良好に保冷することのできる葬儀用保冷具を提供する。【解決手段】葬儀用保冷具は、樹脂製ネット状の外袋１内に保冷シート２が内装されて構成され、積み重ねて大量に保存しておくことができ、樹脂製ネット状の外袋に入れたまま保冷シートを水に漬けて、保冷シートの吸水樹脂内に吸水させ、冷凍庫内で予冷して保冷シートの袋部内に氷の塊を作る。この状態で冷凍庫から取り出して、遺体の下側に敷くか、或いは、遺体の適部に当てて保冷する。なお、保冷シートは分包状に袋部２ａが複数形成されているため、袋部と袋部間に溝ができて、この溝が冷気の通路となり、全域に亘り冷気が良好に流れて、遺体を入れたお棺内の全体に冷気を循環させることができる。【選択図】図１
0003169594.tif 000002
【実用新案登録請求の範囲】
【請求項１】
遺体を保冷するための保冷具であって、
該保冷具は、樹脂製ネット状の外袋内に保冷シートが内装されて構成され、
前記保冷シートは、吸水樹脂を封入した袋部を分包状に複数有し、各袋部内に吸水させて予冷できるように構成されている
ことを特徴とする葬儀用保冷具。
【請求項２】
前記外袋を形成する樹脂内には、一定温度以上で警告色に変化する示温塗料が練り込まれていることを特徴とする請求項１に記載の葬儀用保冷具。
【請求項３】
前記外袋には、予冷時間や使用時間を計測するタイマーと、該タイマーで計測した時間の信号を送信する送信機が付設されていることを特徴とする請求項１または請求項２に記載の葬儀用保冷具。
【請求項４】
前記保冷シートの袋部内に、吸水樹脂とともに銀ゼオライトが混入されていることを特徴とする請求項１または請求項２または請求項３に記載の葬儀用保冷具。
【請求項５】
前記保冷シートには、該保冷シートの製造年月日が記されていることを特徴とする請求項１乃至請求項４何れかに記載の葬儀用保冷具。
【請求項６】
前記保冷シートの各袋部内にオゾン水を吸い込ませてなる請求項１乃至請求項５何れかに記載の葬儀用保冷具。
【考案の詳細な説明】
【技術分野】
【０００１】
本考案は、遺体を保冷することのできる葬儀用保冷具に関するものである。
【背景技術】
【０００２】
従来、特許文献１に開示されているような棺内装用シートが存在し、この棺内装用シートにより遺体を良好な保冷状態に維持できるものとなっている。
【先行技術文献】
【特許文献】
【０００３】
【特許文献１】特開平７−２３１９１８号公報
【考案の概要】
【考案が解決しようとする課題】
【０００４】
上記特許文献１に開示されている棺内装用シートでは、このシートを予冷する時間やシートを使用する時間を管理することが困難であるという問題点があり、また、時間とともに保冷シートから水滴が滴り落ちて遺体を濡らす虞があるという問題点があった。
【課題を解決するための手段】
【０００５】
本考案は、予冷する時間や使用する時間の管理が容易となり、また、使用時に水滴等が滴ることがなく、良好に遺体を保冷することのできる葬儀用保冷具の提供を目的とし、この目的の少なくとも一部を達成するために以下の手段を採った。
本考案は、遺体を保冷するための保冷具であって、該保冷具は、樹脂製ネット状の外袋内に保冷シートが内装されて構成され、前記保冷シートは、吸水樹脂を封入した袋部を分包状に複数有し、各袋部内に吸水させて予冷できるように構成されていることを要旨とする。
【考案の効果】
【０００６】
本考案の葬儀用保冷具は、樹脂製ネット状の外袋内に保冷シートが内装されて構成され、積み重ねて大量に保存しておくことができ、樹脂製ネット状の外袋に入れたまま保冷シートを水に漬けて、保冷シートの吸水樹脂内に吸水させることができ、この状態で、冷凍庫内で予冷して保冷シートの袋部内に氷の塊を作ることができ、この状態で冷凍庫から取り出して、遺体の下側に敷くか、或いは、遺体の上側に被せ、また、遺体の適部に当てて、遺体を良好に保冷することができ、保冷シートから冷気が発せられて、冷気はネット状の外袋を通り流れ出て、遺体を良好な保存状態に維持することができるものとなる。なお、保冷シートは分包状に袋部が形成されているため、袋部と袋部間に溝ができて、この溝が冷気の通路となり、全域に亘り冷気が良好に流れて、例えば遺体を入れたお棺内の全体に冷気を循環させることができるものとなる。
また、保冷シートが徐々に温まって水滴が発生しても、水滴は外袋のネットの網目間に表面張力で付着し、外袋の外側に水滴が落下することがなく、遺体を濡らすことがない。
【０００７】
また、本考案の葬儀用保冷具において、前記外袋を形成する樹脂内には、一定温度以上で警告色に変化する示温塗料が練り込まれているものとすることもできる。
こうすれば、例えば保冷具を遺体に被せて使用している状態で、徐々に保冷具の温度が上昇した時、即ち、冷気の効果が少なくなった状態で、示温塗料が色変化して、例えば赤や黄色等に変色するため、その状態を視認することで、新たな保冷具に取り換える時期を容易に確認することができ、新たに予冷した保冷具に取り換えて良好に遺体を保冷することができるものとなる。
【０００８】
また、本考案の葬儀用保冷具において、前記外袋には、前記予冷時間や使用時間を計測するタイマーと、該タイマーで計測した時間の信号を送信する送信機が付設されているものとすることもできる。
こうすれば、水に浸して冷凍庫内で予冷する時に、タイマーにより時間が計測され、例えば１２時間程度経過した時に、予冷時間が経過したことを、送信機を介して無線で外部に発信することができ、光やブザーで知らせたり、或いはパソコン上に予冷時間が経過したことを表示することができるものとなり、多数枚の葬儀用保冷具を冷凍庫内で順次予冷する時に、何れの保冷具が予冷完了状態であるかを管理することが容易なものとなる。
また、冷凍庫から取り出して遺体に被せる等して保冷具を使用する時にも、タイマーで使用時間を計測して、例えば１２時間程度経過して冷気の発生が少なくなっていることを、送信機により外部に光や音等で知らせることができ、使用時における保冷具の取り換え時期を良好に管理できるものとなる。
【０００９】
また、本考案の葬儀用保冷具において、前記保冷シートの袋部内に、吸水樹脂とともに銀ゼオライトが混入されているものとすることもできる。
こうすれば、アルミナとシリカの結晶体であるゼオライトに安定的に銀イオンを結合させた銀ゼオライトが混入されているため、ゼオライトの細孔内に良好に臭い成分を吸着させ、また、イオン交換させて、臭気ガスの化学反応等により良好な消臭効果が得られるものとなり、アンモニアやアミン等を良好に吸着することができる。
また、銀イオンは水中でミネラル分とイオン交換し、銀イオンを放出するため、この放出された銀イオンにより、大腸菌，緑膿菌等のグラム陰性細菌類，黄色ぶどう球菌，ＭＲＳＡ等のグラム陽性細菌類，黒麹カビ，青カビ等のカビ類に対して抗菌効果が得られるものとなる。
【００１０】
また、本考案の葬儀用保冷具において、前記保冷シートには、該保冷シートの製造年月日が記されているものとすることもできる。
こうすれば、保冷具を何回も凍結させて、複数回再使用した後に廃棄する時に、製造年月日が記載されていれば、順次古いものから廃棄してゆくことができ、葬儀用保冷具の管理が容易なものとなる。
【００１１】
また、本考案の葬儀用保冷具において、前記保冷シートの各袋部内にオゾン水を吸い込ませてなるものとすることもできる。
こうすれば、オゾン水を吸水樹脂に吸い込ませて凍結させることで、ノロウイルス，大腸菌０１５７，０１１１等のウイルスの殺菌も行えるものとなる。
【図面の簡単な説明】
【００１２】
【図１】葬儀用保冷具を構成する外袋と保冷シートの分解斜視図である。
【図２】保冷シートの拡大斜視図である。
【図３】保冷シートの拡大断面図である。
【図４】葬儀用保冷具の使用状態の断面構成図である。
【考案を実施するための形態】
【００１３】
次に、本考案を実施するための形態を実施例を用いて説明する。
図１は、葬儀用保冷具の分解斜視図であり、葬儀用保冷具は、外袋１と、この外袋１内に内装される保冷シート２で構成されている。
外袋１は、樹脂ネット袋として形成されており、側面側から保冷シート２を入れておくことができ、この外袋１は、長方形状であっても円形状のものであっても種々の形状のものが用いられる。
この外袋１は、例えばオレフィン系エラストマー，スチレン系エラストマー或いはウレタン系エラストマー等の熱可塑性エラストマーのチューブで、格子状の多数の方形或いは菱形の網目が形成されたネット状の袋となっている。
【００１４】
なお、この外袋１は、シリコンゴムで格子状の網目を形成させて構成することもでき、シリコンゴム製のネットであれば−６０℃まで耐えることのできる耐寒性を備えているため、業務用の冷凍庫内で何回も繰り返して使用することができるものとなる。
なお、格子状の網目は、正方形状或いは菱形の各網目内に表面張力で結露水等を保持できる程度の大きさの網目に形成されている。
【００１５】
なお、熱可塑性エラストマー内に予め示温塗料を練り込ませたチューブを用いてネット状に外袋１を形成させることもできる。
また、エラストマー或いはシリコンゴム等の樹脂内に予めフェライト磁石の粉末を練り込んでおき、そのような樹脂でネット状にして外袋１を形成させておけば、外袋１は練り込まれたフェライト磁石により金属部分に貼り付けやすいものとなり、保冷具の使用が容易なものとなる。
【００１６】
保冷シート２は、片面が通気性を有する不織布で形成されており、縦方向および横方向に所定間隔をおいて多数の袋部２ａ，２ａ，２ａが図２のように形成されており、各袋部２ａ，２ａ間に縦方向および横方向に交差し連続するシール部２ｂ，２ｂが形成されたものである。この保冷シート２の断面拡大図を図３に示す。
【００１７】
各袋部２ａ内には粒状の吸水樹脂３が封入されており、各袋部２ａは、表側および裏側のシート材がシール部２ｂで熱シールされて形成されたものである。
このような保冷シート２は、遺体の全体を包み込むことのできる大きさに形成させておいても良く、また、適宜シール部２ｂに沿って切断して、適当な寸法のものとして使用することができるものであり、外袋１の大きさに対応させた寸法の保冷シート２が外袋１の内部に内装され、この状態で、外袋１とともに保冷シート２が多数枚積み上げられて倉庫等に保存されるものである。
【００１８】
使用する時には外袋１に入れたまま保冷シート２を水に漬けると、吸水樹脂３内に水が吸い込まれて各袋部２ａが徐々に膨れて、各袋部２ａが卵状に膨張する。
この状態で水から上げて、外袋１に入れたまま保冷シート２を多数枚積み上げて冷凍庫内で予冷することができるものであり、冷凍庫内で例えば１２時間程度予冷することにより、各袋部２ａ内に吸い込まれた水は凍結して氷の塊となる。
【００１９】
なお、冷凍庫内で多数積み重ねて凍結しても、外袋１が互いに当接しているため、保冷シート２同士が引っ付くことはなく、多数の葬儀用保冷具を積み重ねて冷凍庫内で予冷し、１個ずつ良好に取り出して使用することができるものである。
また、外袋１は柔軟性があり、保冷シート２は縦横にシール部２ｂが形成されているため、折り曲げ等が容易であり、大型の大寸法のものでは、巻いて丸める等して冷凍庫内で凍らせることができ、冷凍庫から取り出して、平たい状態として使用することができるものである。
【００２０】
使用する際には、お棺内の遺体の底に敷設して用いることもでき、また、お棺内の遺体の上面全体に被せて使用することもでき、また、首の部分や胸の部分，背中の部分，足の部分等に複数の葬儀用保冷具を配置させて使用することができるものである。
遺体に被せたり遺体の底に敷設して用いる際に、外袋１の外側を更に不織布で包んで使用することもできるものである。
なお、保冷シート２は凍結した状態でもシール部２ｂ，２ｂを介して良好に曲げることができ、また、外袋１も柔らかい樹脂のネット状であるため、自由に曲げて遺体の部分に沿うように設置することができるものとなる。
【００２１】
使用時には、袋部２ａ内で凍結した氷から冷気が発せられて、冷気は保冷シート２の通気性のある不織布から外部に流出し、保冷シート２のシール部２ｂ，２ｂは袋部２ａ，２ａ間で谷状の溝を形成しているため、シール部２ｂを通り縦方向および横方向に冷気が全域に亘って流れ出し、ネット状の外袋１を通して外部に良好に冷気が流れ出し、お棺の内周に沿って冷気が循環し、お棺内を良好に保冷することができるものとなる。
なお、保冷シート２の氷が溶けてゆくと次第に結露水が生じてくるが、この結露水はネット状の外袋１の網目間に表面張力でくっ付き、外袋１のネット状の網目に結露水が溜まり、外部に結露水が流出することが少ないものとなる。
【００２２】
なお、袋部２ａ内に吸い込ませる水は水道水であっても良いが、超酸性電解水を袋部２ａ内に吸い込ませておくと、ウイルス等に対する殺菌力が増大し、遺体の保存状態を良好化させることができるものとなる。
【００２３】
また、保冷シート２の各袋部２ａ内に、吸水樹脂３とともに、ゼオライトに銀イオンが安定的にイオン結合された銀ゼオライトを混入させておいても良い。
この銀ゼオライトが混入されているタイプのものでは、水中に漬けて凍結させることにより、水中のミネラル分と銀イオンがイオン交換して銀イオンを水中に放出し、遺体に付着する微生物等の体内へ銀イオンが移行して、微生物の育成に必要な酵素と反応して代謝系を破壊し、酵素活性阻害を起こさせて、微生物の細胞の増殖を良好に阻止することができ、抗菌効果を高めて遺体の保存状態を良好なものとすることができるものである。
【００２４】
なお、外袋１を構成するエラストマー内に予め示温塗料を練り込ませたチューブを用いてネット状に外袋１を形成させておけば、例えば黄色や赤色に一定温度以上で色が変化するような示温塗料が練り込まれていることにより、葬儀用保冷具を遺体に被せる等して使用している状態で徐々に温められて冷気の発生が少なくなってくると、一定温度以上、例えば５℃，１０℃，２０℃，２５℃で徐々に色が変化して、温度が上昇したことを目で確認することができ、良好に目視して、保冷具を取り換えることができるものとなる。
【００２５】
なお、図４の使用状態の断面図で示すように、外袋１に、電子タイマー５と電源ボックス６と無線送信機７を付設させておくこともでき、このような構成では、遺体に保冷具を被せた時からタイマー５を作動させて、例えば１２時間程度経過した時に、この電子タイマー５から送信機７を通して外部に無線で時間が経過したことを知らせることができるものとなる。
例えば送信機７からパソコンに送信して保冷具の取り換え時期を知らせ、各保冷具の使用状態を良好に管理できるものとなる。
【００２６】
なお、送信機７からの信号でＬＥＤやブザーが作動するように構成して、光や音で保冷具の交換時期を知らせるようにしても良い。
また、水に漬けて冷凍庫内で予冷する際にも、電子タイマー５を作動させれば、例えば１２時間後に、凍結完了を知らせる信号を送信機７から無線で外部に発信させることができるものとなり、多数の保冷具を冷凍庫内で順次予冷している時に、どの保冷具が凍結完了状態にあるかを良好に管理することができるものとなる。
【００２７】
なお、図４に示すように、外袋１の内側に、薄くスライスしたドライアイス４，４を入れて使用することもでき、このドライアイス４を外袋１と保冷シート２の間に挟み込んで包み込むように保冷具全体を折り曲げたり巻き付けたりして使用することもできる。
ドライアイス４を包み込んで使用することにより、ドライアイス４が気化する際に−７４℃程度の超低温となり、保冷具全体を−１℃程度のパーシャルフリージング帯に長時間維持することができ、遺体の冷え過ぎによる部分凍結もなくなり、気管支や肺，動脈の凍結による防腐処理の妨げにはならないものとなる。
また、ドライアイス４から発生する炭酸ガスにより偏性好気状態となり、酸素がなくなり、好気性菌の増殖を抑制することができ、さらに、発生する炭酸ガスによりＰＨが弱酸性になるため、ＰＨ調整により遺体の鮮度保持効果が得られるものとなる。
【００２８】
なお、本例の保冷具は何回も繰り返し使用することができるものであり、電子レンジ内に入れて加熱すれば、良好に加熱殺菌される。
保冷シート２にはインクジェット等で製造年月日を印刷しておくことができ、製造年月日が記入されていると、何回も使用した後に古いものから捨ててゆく時に、廃棄処理の管理がしやすいものとなる。なお、保冷シート２は焼却しても何ら有害ガスは発生しない。
なお、外袋１はフイルム状のものであっても、凍結させる時に保冷シート２と保冷シート２のくっ付きを良好に防ぐことができるものとなる。
【符号の説明】
【００２９】
１  外袋
２  保冷シート
２ａ  袋部
２ｂ  シール部
３  吸水樹脂
４  ドライアイス
５  電子タイマー
６  電源ボックス
７  送信機
【図１】
0003169594.tif 000003
【図２】
0003169594.tif 000004
【図３】
0003169594.tif 000005
【図４】
0003169594.tif 000006